【事件の表示】
　平成　９年特許願第１２５０２７号「ファクシミリ装置」拒絶査定不服審判事件〔平成１０年１１月１３日出願公開、特開平１０−３０４１６１〕について、次のとおり審決する。
【結　論】
　本件審判の請求は、成り立たない。
【理　由】
１．手続の経緯
　本願は、平成９年４月２８日の出願であって、平成２０年１月３１日付けで拒絶査定がなされ、これに対し、同年３月５日に拒絶査定に対する審判請求がなされるとともに、同年４月３日付けで手続補正がなされたものであ
る。
　
２．平成２０年４月３日付けの手続補正についての補正却下の決定
［補正却下の決定の結論］
　平成２０年４月３日付けの手続補正を却下する。
　
［理由］
２−１．補正後の本願発明
　本件補正により、特許請求の範囲の請求項１は、
「受信したデータを記憶する受信記憶手段と、受信したデータを直ちに出力することなく、前記受信記憶手段に記憶した状態を保つメモリモードを設定する設定手段と、前記設定手段により、メモリモードが設定されている状態で、受信中に前記受信記憶手段の記憶残量が所定値未満になったか否かを、１ページよりも短い受信データ単位で判定し、前記受信記憶手段の記憶残量が所定値未満になったと判定した場合、前記受信記憶手段に先に記憶されている受信データの記録を行うことなく、所定値未満となったその該当ページのデータから記録を開始し、メモリモードの設定を解除しそれ以降はメモリモードを設定できないようにする制御手段と、を備えたことを特徴とする
ファクシミリ装置。」
と補正された。
　本件補正は、「制御手段」について、補正前に「受信中に前記受信記憶手段の記憶残量が所定値未満になった場合」とあったものを、「受信中に前記受信記憶手段の記憶残量が所定値未満になったか否かを、１ページよりも短い受信データ単位で判定し、前記受信記憶手段の記憶残量が所定値未満に
なったと判定した場合」と限定するものであるから、少なくとも特許請求の範囲の減縮を目的とするものである。
　そこで、本件補正後の前記請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法（以下、「平成１８年改正前特許法」という。）１７条の２第５項において準用する同法第１２６条第５項の規定に適合するか）について以下に検討する。
　
２−２．引用例
　原査定の拒絶の理由に引用された特開平６−１０５０２８号公報（以下、「引用例」という。）には、図面とともに以下の記載がなされている。
　
（１）「【特許請求の範囲】
【請求項１】　受信原稿を画像メモリに蓄積することにより受信動作を行うメモリ受信モードと受信原稿を直接記録紙に記録することにより受信動作を行う記録紙受信モードとが選択可能なファクシミリ装置において、
前記画像メモリの残量をページ単位で検出するメモリ残量検出手段と、
前記メモリ残量検出手段で検出した前記画像メモリの残量と予め設定した所定の残量とを比較する比較手段と、
前記比較手段の出力に対応して前記メモリ受信モードと前記記録紙受信モードとを自動的に切り換える受信モード切換手段とを具備したことを特徴とするファクシミリ装置。」
　
（２）「【０００２】
【従来の技術】最近、受信原稿はすべて画像メモリに蓄積し、その後オペレータが画像メモリに蓄積された受信原稿の確認を行うことにより、必要な原稿像のみを記録紙に出力し、不要な原稿は記録紙に出力することなく画像メモリ上で消去するようにしたファクシミリ装置が提案されている。
……
【０００６】そこで、この種のファクシミリ装置においては、受信原稿を画像メモリに蓄積することにより受信動作を行うメモリ受信モードと、受信原稿を直接記録紙に記録することにより受信動作を行う記録紙受信モードとを切り換えることができるように構成し、夜間や長期に留守にするような場合は、記録紙受信モードにすることにより、画像メモリが常に一杯になることによる受信不可の状態が生じないようにしている。」
　
（３）「【００２３】ところで、この実施例においては、図１に示した画像メモリ７の残量をページ単位で検出し、この検出した画像メモリの残量と設定値メモリ１２に予め設定した設定値とを比較することにより、画像メモリ７の残量が設定値メモリ１２に予め設定した設定値以下になると、受信原稿を画像メモリに全て蓄積するメモリ受信モードから受信原稿を直接記録紙に記録する記録紙受信モードに自動的に切り換えるように構成されている。
【００２４】この記録紙受信モードへの切換処理は、図１に示したＣＰＵ１により実行され、この処理は各ページ毎に行われる。
【００２５】図４は、ＣＰＵ１により実行される上記処理をフローチャートで示したものである。この処理において、まず、画像メモリ７の残量を算出する（ステップ１０１）。この画像メモリ７の残量の算出は、具体的には、画像メモリ７の画像が記録されていないエリアのアドレスを検出することにより行われる。すなわち、画像メモリ７の画像が記録されていないエリアのアドレスがどの位あるかにより画像メモリ７の残量を算出する。
【００２６】次に、予め設定されていた記録紙受信モードへの切換の設定値をロードする（ステップ１０２）。この記録紙受信モードへの切換の設定値は、図１に示した設定値メモリ１２に予め記憶されており、この設定値メモリ１２に記憶されている設定値をシステムバス１０を介してロードする。
【００２７】そして、ステップ１０１で検出した画像メモリ７の残量がス
テップ１０２でロードした記録紙受信モードへの切換の設定値以下かの判断を行う（ステップ１０３）。
【００２８】この判断において、画像メモリ７の残量が設定値以下でない
と、受信モードをメモリ受信モードに設定する（ステップ１０４）。しか
し、画像メモリ７の残量が設定値以下になると、受信モードを記録紙受信
モードに設定する（ステップ１０５）。
【００２９】この処理は、１ページの原稿を受信する毎に行われる。そし
て、この処理でセットされた受信モードにより次のページの受信処理が制御される。」
　
（４）「【００３０】図５は、各ページの受信毎に行われる処理をフロー
チャートで示したものである。すなわち、受信した各ページの頭において図５に示した処理が実行される。図５において、まず、受信モードが記録紙
モードにセットされているかを調べる（ステップ１１１）。ここで、受信
モードが記録紙モードにセットされていないと、受信モードはメモリ受信
モードにセットされているので、図１に示したＮＣＵ９を介して受信した原稿をＣＰＵ１の制御によりシステムバス１０を介して画像メモリ７に格納するメモリ受信を実行する（ステップ１１４）。
【００３１】しかし、ステップ１１１で、記録紙モードにセットされていると判断されると、図１に示した記録紙ドライバ４４をオンにし（ステップ１１２）、記録紙搬送用モータ４１を動作させ、ＮＣＵ９を介して受信した原稿をＣＰＵ１の制御によりシステムバス１０を介して直接印字ユニット４に送出して記録紙で出力する記録紙受信を実行する（ステップ１１３）。
【００３２】この図５に示した処理は、受信原稿の頭になる毎に行われ
る。」
　
（５）「【００３３】このような構成によると、画像メモリ７の残量が予め設定された設定値以下になると自動的にメモリ受信から記録紙受信に切り換えられることになり、しかもこの切換は各ページ単位で実行されることになる。
【００３４】これにより、不要な原稿の受信による記録紙の無駄を防止し、不要な記録紙の消費による記録紙切れを可及的に防止するという効果を維持しつつ、画像メモリが一杯になることによる受信不可の状態が生じないようにすることができる。」
　
　したがって、引用例には次の発明（以下「引用発明」という。）が記載されているといえる。
　
「受信原稿を画像メモリに蓄積することにより受信動作を行うメモリ受信
モードと受信原稿を直接記録紙に記録することにより受信動作を行う記録紙受信モードとが選択可能なファクシミリ装置において、
　前記画像メモリの残量をページ単位で検出するメモリ残量検出手段と、
　前記メモリ残量検出手段で検出した前記画像メモリの残量と予め設定した所定の残量とを比較する比較手段と、
　前記比較手段の出力に対応して前記メモリ受信モードと前記記録紙受信
モードとを自動的に切り換える受信モード切換手段とを具備し、
　受信原稿の頭になる毎に、受信モードが記録紙受信モードにセットされているかを調べ、受信モードが記録紙受信モードにセットされていないと、受信モードはメモリ受信モードにセットされているので、受信した原稿を画像メモリに格納するメモリ受信を実行し、記録紙受信モードにセットされていると判断されると、受信した原稿を記録紙で出力する記録紙受信を実行し、
　各ページ毎に、画像メモリの残量をページ単位で検出し、この検出した画像メモリの残量と予め設定した設定値とを比較することにより、画像メモリの残量が予め設定した設定値以下になると、受信原稿を画像メモリに全て蓄積するメモリ受信モードから受信原稿を直接記録紙に記録する記録紙受信
モードに自動的に切り換え、この切換は各ページ単位で実行される、
　ことを特徴とするファクシミリ装置。」
　
２−３．対比
　引用発明の「画像メモリ」及び「メモリ受信モード」はそれぞれ、本願補正発明の「受信記憶手段」及び「メモリモード」に対応する。
　引用発明の「メモリ残量検出手段」と「比較手段」とによる機能は、後述する相違点を除いて、受信中に受信記憶手段の記憶残量が所定値未満になったか否かを判定する点で、本願補正発明の「制御手段」の機能と共通する。
　引用発明の「受信モード切換手段」の機能は、後述する相違点を除いて、メモリモードの設定を解除する点で、本願補正発明の「制御手段」の機能と共通する。
　引用発明は、「各ページ毎に、画像メモリの残量をページ単位で検出し、この検出した画像メモリの残量と予め設定した設定値とを比較することにより、画像メモリの残量が予め設定した設定値以下になると、受信原稿を画像メモリに全て蓄積するメモリ受信モードから受信原稿を直接記録紙に記録する記録紙受信モードに自動的に切り換え、この切換は各ページ単位で実行される」とするものであるから、受信記憶手段の記憶残量が所定値未満になったと判定した場合、受信記憶手段に先に記憶されている受信データの記録を行うことなく、所定値未満となったその該当ページのデータから記録を開始し、メモリモードの設定を解除する機能の点で、本願補正発明の「制御手
段」の機能と共通する。
　引用発明は、「受信原稿の頭になる毎に、受信モードが記録紙受信モードにセットされているかを調べ、受信モードが記録紙受信モードにセットされていないと、受信モードはメモリ受信モードにセットされているので、受信した原稿を画像メモリに格納するメモリ受信を実行し、記録紙受信モードにセットされていると判断されると、受信した原稿を記録紙で出力する記録紙受信を実行し」とするものであるから、「各ページ毎に、……記録紙受信
モードに自動的に切り換え、この切換は各ページ単位で実行される」とする前に、受信モードがメモリ受信モードまたは記録紙受信モードのいずれかにセットされており、上記（２）の従来の技術のファクシミリ装置のように、メモリ受信モードと記録紙受信モードとを、任意に、切り換えることができるように構成されたもので、本願補正発明の「設定手段」と同様の機能を有するものといえる。
　引用発明は、「受信原稿の頭になる毎に、……記録紙受信を実行し」とするものであるから、記録紙受信モードにセットされていればメモリ受信を実行することはないので、「各ページ毎に、……記録紙受信モードに自動的に切り換え、この切換は各ページ単位で実行される」とするのは、「受信原稿の頭になる毎に、……記録紙受信を実行し」とする場合のメモリ受信のときであり、受信モードがメモリ受信モードにセットされている状態である。
　したがって、本願補正発明と引用発明とを対比すると、次の点で一致す
る。
　
「受信したデータを記憶する受信記憶手段と、
　受信したデータを直ちに出力することなく、前記受信記憶手段に記憶した状態を保つメモリモードを設定する設定手段と、
　前記設定手段により、メモリモードが設定されている状態で、受信中に前記受信記憶手段の記憶残量が所定値未満になったか否かを判定し、前記受信記憶手段の記憶残量が所定値未満になったと判定した場合、前記受信記憶手段に先に記憶されている受信データの記録を行うことなく、所定値未満と
なったその該当ページのデータから記録を開始し、メモリモードの設定を解除する制御手段と、
　を備えたことを特徴とするファクシミリ装置。」
　
　また次の点で相違する。
　
　相違点１
　受信中に前記受信記憶手段の記憶残量が所定値未満になったか否かを判定しとするのが、本願補正発明では、１ページよりも短い受信データ単位で判定するのに対して、引用発明では、ページ単位で検出し、比較する点。
　
　相違点２
　本願補正発明では、記憶残量が所定値未満になったと判定した場合、メモリモードの設定を解除しそれ以降はメモリモードを設定できないようにするのに対して、引用発明では、メモリ受信モードから受信原稿を直接記録紙に記録する記録紙受信モードに自動的に切り換える点。
　
２−４．相違点に対する判断
　相違点１について
　本願補正発明では、「受信中に前記受信記憶手段の記憶残量が所定値未満になったか否かを、１ページよりも短い受信データ単位で判定し、前記受信記憶手段の記憶残量が所定値未満になったと判定した場合、前記受信記憶手段に先に記憶されている受信データの記録を行うことなく、所定値未満と
なったその該当ページのデータから記録を開始し」とするので、記録を行うかどうかは、ページ単位で決まることになり、あるページが記録されるかどうかについては、引用発明と変わりはなく、１ページよりも短い受信データ単位で判定する点は、単なる設計事項に過ぎない。
　
　相違点２について
　引用発明において、メモリ受信モードから受信原稿を直接記録紙に記録する記録紙受信モードに自動的に切り換えられた後には、仮にメモリ受信モードにセットする操作ができるものとしても、メモリ受信は行われず、記録紙受信モードに自動的に切り換えられるので、そのような操作は無効なものとなる。
　メモリモードの設定を解除しそれ以降はメモリモードを設定できないようにすることに関して、請求人は、審判請求書の請求の理由で、
「４．引用文献の説明
……
　ここで、ファクシミリ装置の分野においては、画像メモリに記憶された受信データをユーザ操作により消去可能に構成されたものが知られています。特に、引用文献１においては、不要な原稿の受信による記録紙の無駄を防止することを目的としており、通常はメモリ受信モードに設定しておき、メモリに保存した画像データを表示により確認し（例えば［００１７］参照）、不要な受信データについては、記録紙に出力することなく、消去できることが想定されます。言い換えますと、画像メモリから記録紙に出力することなく消去できる、という選択肢がなければ、引用文献１の効果は達成できません。そのため、仮に４，５ページが記録紙に記録されたタイミングで、ユーザが画像メモリに保存したまま放置されていた不要な受信データを消去する操作を行うと、その時点でメモリの残量が増加することになります。引用文献１では、ページ単位で画像メモリの残量を検出しており、しかも、図４のフローチャートでは、メモリ残量が設定値以下か否かにより、「メモリ受信モード」もしくは「記録紙受信モード」に切り換える処理を行うため、６
ページ目の受信データに対する判断時において、メモリの残量が増加していれば、メモリ残量が設定値以上と判定され、６ページ目に対しては「メモリ受信モード」にセットされることになります。
　即ち、１０ページに渡る受信データのうち、１〜３ページ、６〜１０ページ目はメモリに蓄積され、４，５ページ目は記録紙に記録されるということになり、一連の１０ページのうち中間部分である４，５ページ目のみが別になることから、紛失等の可能性もあり、管理の点で問題が生じます。この受信データがもし、印字出力を必要とする重要なデータであれば、より大きな問題となります。
　これに対して、本願発明のファクシミリ装置では、受信中に受信記憶手段の記憶残量が所定値未満になったか否かを、１ページよりも短い受信データ単位で判定し、受信記憶手段の記憶残量が所定値未満になったと判定した場合、ページの途中、例えば、４ページ目の途中で受信記憶手段の記憶残量が所定値未満になった場合、その４ページ目の先頭からデータの記録を開始します。次いでメモリモードの設定を解除しそれ以降はメモリモードを設定できないようにすることから、４ページ目以降は全てのページが確実に記録されることになります。即ち、１０ページに渡るデータのうち、１〜３ページ目は受信記憶手段に記憶され、４〜１０ページ目は記録紙に記録されるということになります。これによれば、少なくとも、４〜１０ページはまとまった状態で出力されるため、１０ページ目が最終ページであることをユーザに認識させることができる共に、１〜３ページまでがメモリに記憶されていることも明らかです。従って、引用文献１の場合のように一連の原稿の中間部分のみが別になるということがないため、紛失や、他の原稿に混ざってしまう可能性が少なくなり、管理が容易になります。」
と記載している。
　しかし、「ファクシミリ装置の分野においては、画像メモリに記憶された受信データをユーザ操作により消去可能に構成されたものが知られていま
す。」というとおりであるとしても、「仮に４，５ページが記録紙に記録されたタイミングで、ユーザが画像メモリに保存したまま放置されていた不要な受信データを消去する操作を行うと、」というような、原稿の受信中に消去が可能であることが知られているとまではいえないし、引用例にもそのようなことが可能であるとは記載も示唆もされていない。
　また、本願補正発明は、メモリモードを設定できないようにした後については、どのようにするのか特定がされていないが、発明の詳細な説明には、
「【００２５】
　次いで、ＦＡＸフォワードモードやＦＡＸストレージモード等のメモリ
モードの設定を解除し、それ以降はメモリモードを設定できないようにする（Ｓ６）。このとき、メモリモードフラグ２４６はＯＦＦされる。また、メモリモードが設定できない状態は、ストップキーとモード設定キーとが同時に押下されるか、又は、受信データバッファ２４１のデータがすべて消去された（記録された）場合に解除される。」
と記載されており、画像メモリに記憶された受信データを消去すると、メモリモードの設定ができることが示され、「仮に４，５ページが記録紙に記録されたタイミングで、ユーザが画像メモリに保存したまま放置されていた不要な受信データを消去する操作を行うと、」と同様のことがいえるものである。
　仮に引用発明が「仮に４，５ページが記録紙に記録されたタイミングで、ユーザが画像メモリに保存したまま放置されていた不要な受信データを消去する操作を行うと、」というような、原稿の受信中に消去が可能であるとしても、それによって生じる不都合は、メモリモードを設定できないようにした後についての特定がされていない本願補正発明も、その実施例のように受信データバッファのデータを消去すれば、同様に生じるものである。
　また、原稿の受信中に消去を行わないのであれば、引用発明も上記のとおり、仮にメモリ受信モードにセットする操作ができるとしても、そのような操作は無効なものであるから、「それ以降はメモリモードを設定できないようにする」ことと、実質的な動作上の相違はないし、そのような無効な操作を、操作エラーとする等して、できないようにする程度のことは、当業者であれば困難なことではない。
　
　以上のとおり、各相違点を本願補正発明のようにすることに困難な点はないから、本願補正発明は、引用発明に基づいて、当業者が容易に発明をすることができたものであり、特許法第２９条第２項の規定により、独立して特許を受けることができない。
　
２−５．むすび
　したがって、本件補正は、平成１８年改正前特許法第１７条の２第５項において準用する同法第１２６条第５項の規定に違反するので、特許法第１５９条第１項において読み替えて準用する同法第５３条第１項の規定により却下すべきものである。
　
３．本願発明について
　平成２０年４月３日付けの手続補正は上記のとおり却下されたので、本願の請求項１に係る発明（以下、「本願発明」という。）は、平成１９年４月２６日付けの手続補正書の特許請求の範囲の請求項１に記載された事項により特定される、以下のとおりのものである。
　
「受信したデータを記憶する受信記憶手段と、受信したデータを直ちに出力することなく、前記受信記憶手段に記憶した状態を保つメモリモードを設定する設定手段と、前記設定手段により、メモリモードが設定されている状態で、受信中に前記受信記憶手段の記憶残量が所定値未満になった場合、前記受信記憶手段に先に記憶されている受信データの記録を行うことなく、所定値未満となったその該当ページのデータから記録を開始する制御手段と、を備えたことを特徴とするファクシミリ装置。」
　
　原査定の拒絶の理由に引用された特開平６−１０５０２８号公報の記載事項は、前記のとおりである。
　そして、本願発明は、本願補正発明のような「１ページよりも短い受信
データ単位で判定し」とする特定、及び「メモリモードの設定を解除しそれ以降はメモリモードを設定できないようにする」特定がないものであるか
ら、本願補正発明と同様、引用発明に基づき当業者が容易に発明をすることができたものである。
　
　以上のとおり、本願発明は、引用発明に基づいて、当業者が容易に発明をすることができたものであるから、特許法第２９条第２項の規定により特許を受けることができない。
　よって、結論のとおり審決する。